(57)【要約】      （修正有）【課題】反射効果を長期に渡って保持する事が出来、且つ前方、側面、後方のいずれの箇所からでも視認出来る履物を提供する事。【解決手段】履物本体における外側露見範囲に、再帰性反射材を有する反射材を備え、歩行者の安全を確保するべく、夜間及び日没後など３６０°どこから自動車が来た場合でも歩行者が視認出来るように反射材１ａ〜１ｄをアッパー上面領域とアッパー側面領域の境界部に左側面側から右側面側に繋がって配置するとともに、アッパー踵領域や履き口周囲部の全周に亘って縫い付けた。【選択図】図１
0003226702.tif 000002
【実用新案登録請求の範囲】
【請求項１】
人体の足裏に位置するソールと、前記ソールの上部に位置するアッパーとを有し、前記アッパーは、人体の足甲に位置するアッパー上面領域と、前記アッパー上面領域の周囲に位置するアッパー側面領域と、前記アッパー側面領域につながって人体踵に位置するアッパー踵領域から成り、
前記アッパー上面領域及び前記アッパー側面領域及び前記アッパー踵領域の端部に位置した履き口周囲部から人体の足を挿入して履く履物にあって、
前記アッパー上面領域と前記アッパー側面領域の境界部に再帰性反射機能を有する第一反射材を備えるとともに、
前記第一反射材は、左側面側から右側面側に繋がって配置された事を特徴とする履物。
【請求項２】
請求項１に記載した履物において、前記アッパー踵領域に再帰性反射機能を有する第二反射材を備えた事を特徴とする履物。
【請求項３】
請求項１又は２に記載した履物において、前記アッパー側面領域と前記アッパー踵領域の境界部に再帰性反射機能を有する第三反射材を備えた事を特徴とする履物。
【請求項４】
請求項１から３のいずれか１項に記載した履物において、前記履き口周囲部の全周に亘って、再帰性反射機能を有する第四反射材を備えた事を特徴とする履物。
【考案の詳細な説明】
【技術分野】
【０００１】  本考案は、歩行者の安全を確保する為の反射機能を備えた履物に関するものであり、特に反射機能を長期に渡って保つことが出来る履物に関するものである。
【背景技術】
【０００２】  従来より、夜間や日没後の歩行者の安全を確保すべく、本体の外側露見範囲に再帰性反射機能を有する反射材を設けた履物が考案されていた。これは外側露見範囲の全周囲に亘って配置されているため、３６０°どちらの方向からの光に対しても反射できるという効果を有するものであった。
【先行技術文献】
【特許文献１】国際公開番号  ＷＯ−Ａ−２０１０／０７３３１４  公報
【考案の概要】
【考案が解決しようとする課題】
【０００３】  特許文献１に示された発明は、製造がやや困難で、地面に近い部分に反射材が設けられているので汚れやすいため、反射機能が損なわれるという課題があった。本考案は、その課題を改善するものであり、製造が容易で、反射材に汚れが付きにくい構成を提供するものである。
【課題を解決するための手段】
【０００４】  本考案に係る履物は、人体の足裏に位置するソールと、前記ソールの上部に位置するアッパーとを有し、前記アッパーは、人体の足甲に位置するアッパー上面領域と、前記アッパー上面領域の周囲に位置するアッパー側面領域と、前記アッパー側面領域につながって人体踵に位置するアッパー踵領域から成り、前記アッパー上面領域及び前記アッパー側面領域及び前記アッパー踵領域の端部に位置した履き口周囲部から人体の足を挿入して履く履物にあって、前記アッパー上面領域と前記アッパー側面領域の境界部に再帰性反射機能を有する第一反射材を備えるとともに、前記第一反射材は、左側面側から右側面側に繋がって配置された事を特徴とする履物である。【０００５】  本考案に係る履物は、前記アッパー踵領域に再帰性反射機能を有する第二反射材を備えた事を特徴とする履物である。【０００６】  本考案に係る履物は、前記アッパー側面領域と前記アッパー踵領域の境界部に再帰性反射機能を有する第三反射材を備えた事を特徴とする履物である。【０００７】  本考案に係る履物は、前記履き口周囲部の全周に亘って、再帰性反射機能を有する第四反射材を備えた事を特徴とする履物である。
【考案の効果】
【０００８】  夜間や日没後の歩行者の安全を確保すべく、アッパー上面領域とアッパー側面領域の境界部に左側面側から右側面側に繋がって配置された第一反射材、アッパー踵領域に第二反射材、アッパー側面領域とアッパー踵領域の境界部に第三反射材、履き口周囲部の全周に亘っている第四反射材をそれぞれ縫い付けた履物を考案した。この第一反射材、第二反射材、第三反射材、第四反射材は、例えば歩行者から見ると、自動車は３６０°全ての方向から接近してくる可能性があるが、どの方向から照射された光に対しても再帰性反射を起こさせる事が出来、歩行者の安全をより確実に確保する事が出来ると共に、交通事故の減少に貢献し得るものである。【０００９】  本考案による履物は、アッパー上面領域、アッパー側面領域、アッパー踵領域を組み付けてアッパー及び履き口周囲部を構成する際に、第一反射材、第二反射材、第三反射材、第四反射材を容易に縫い付ける事が可能であり、かつ、地面から遠い部分に反射材が設けられているために、反射材が汚れ難く、反射機能が低下しないという効果を有する。【００１０】  本考案によれば、反射効果を長期に渡って保持する事が出来る為、歩行者の安全を長期に渡って確保する事が可能となる。更にデザイン性を向上させて商品性を高める事が出来、例えば履物を履いた人の存在が確実に認識されるという機能を、履物自体の意匠をなんら損なう事なく、むしろ意匠性を高めた状態で実現する事が出来る。
【図面の簡単な説明】
【００１１】
【図１】本考案の実施例１に係る履物の側面図である。
【図２】本考案の実施例１に係る履物の前方斜視図である。
【図３】本考案の実施例１に係る履物の後方斜視図である。
【図４】本考案の実施例２に係る履物の前方斜視図である。
【考案を実施するための形態】
【００１２】  本考案を実施する為の最良の形態の一つは以下の実施例に説明する通りであるが、この実施例に対して、本考案の技術的思想の範囲内において適宜変更を加える事も可能である。
【実施例１】
【００１３】  図１は、本考案の実施例１に係る履物の側面図である。履物は一般的に、アッパー２とソール３から構成される。また一般的に、アッパー２は、アッパー上面領域２ａ、アッパー踵領域２ｂ、アッパー側面領域２ｃから成り、それらの端部に位置した履き口周囲部２ｄから人体の足を挿入して履く。【００１４】  本考案は、アッパー上面領域２ａとアッパー側面領域２ｃとの境界部に第一反射材１ａを設け、アッパー踵領域２ｂに第二反射材１ｂを設け、アッパー側面領域２ｃとアッパー踵領域２ｂとの境界部に第三反射材１ｃを設け、履き口周囲部２ｄの全周に第四反射材１ｄを設けたものである。【００１５】  図２は、本考案の実施例１に係る履物の前方斜視図である。アッパー上面領域２ａとアッパー側面領域２ｃの境界部に左側面側から右側面側に繋がって配置された第一反射材１ａ、アッパー踵領域２ｂに第二反射材１ｂ、アッパー側面領域２ｃとアッパー踵領域２ｂの境界部に第三反射材１ｃ、履き口周囲部２ｄの全周に亘っている第四反射材１ｄをそれぞれ組み付けた構成を有する。【００１６】  図３は、本考案の実施例１に係る履物の後方斜視図である。
前記した第一反射材１ａ、第二反射材１ｂ、第三反射材１ｃ、第四反射材１ｄの組み付け方法について説明すると、このものは図１から図３に示すように、アッパー２がアッパー上面領域２ａ、アッパー踵領域２ｂ、アッパー側面領域２ｃの３つのパーツで構成されている。それぞれのアッパーパーツを組み付ける際、第一反射材１ａ、第二反射材１ｂ、第三反射材１ｃをミシンで縫い付けるものとなっている。更に第一反射材１ａは、アッパー左側面側から右側面側に繋がって配置されている。第四反射材１ｄは、履き口周囲部２ｄの全周に亘ってミシンで縫い付けられており、４はそのミシン目を示している。【００１７】  前記組み付け方法を更に詳しく説明すると、第一反射材１ａは、アッパーパーツであるアッパー上面領域２ａ、アッパー側面領域２ｃを組み合わせる際、ミシンによって縫い付けており、更にアッパー上面領域２ａ、アッパー側面領域２ｃのそれぞれを組み付ける際の接合部を隠す役割もある。第二反射材１ｂは、アッパー踵領域２ｂに直接縫い付けており、図３で示すように反射材自体の面積も大きくなっているので、歩行者の安全をより確実に確保する事が出来る。第三反射材１ｃは、アッパー側面領域２ｃとアッパー踵領域２ｂを組み付ける際、ミシンによって縫い付けられており、更にアッパー側面領域２ｃ、アッパー踵領域２ｂのそれぞれを組み付ける際の結合部を隠す役割もある。第四反射材１ｄは、履物の履き口周囲部２ｄの端部を包むように全周に亘って縫い付けられており、アッパー踵領域２ｂの布端のほつれ防止や、アッパー上面領域２ａのＥＶＡ樹脂裁断面をパイピングしている。また、第一反射材１ａ、第二反射材１ｂ、第三反射材１ｃ、第四反射材１ｄは、それぞれ反射効果のみならず、デザイン性にも優れており、商品価値を高める効果もある。【００１８】  前記した第一反射材１ａ、第二反射材１ｂ、第三反射材１ｃ、第四反射材１ｄのそれぞれの組み付け方法は、汚れにくく、加工が容易で、安価に作成出来るという利点がある。【００１９】  また、前記した第一反射材１ａ、第二反射材１ｂ、第三反射材１ｃ、第四反射材１ｄは、再帰性反射機能を有しており、かつ、それぞれ２重に縫い付けている。その為、反射性能が低下し難く、容易に外れにくい構造になっている。履き口周囲部２ｄの全周に亘って組み付けた第四反射材１ｄについては、パイピングで始末し、尚且つジグザグ縫いにする事で見た目のファッション性も備えている。【００２０】  前記した履き口周囲部２ｄの全周に亘って縫い付けられた第四反射材１ｄに関して、もし衣服のズボン等で隠れてしまった場合でもアッパー上面領域２ａとアッパー側面領域２ｃの境界部に左側面側から右側面側に繋がって配置された第一反射材１ａ、アッパー踵領域２ｂに配置された第二反射材１ｂ、アッパー側面領域２ｃとアッパー踵領域２ｂの境界部に配置された第三反射材１ｃが設けられている為、反射材が完全に隠れにくいので、自動車などの照射による反射視認性が常に保たれる構造になっている。その為、歩行者の安全をより確実に確保する事が可能である。
【実施例２】
【００２１】  図４は、本考案の実施例２に係る履物の前方斜視図である。アッパー側面領域２ｃのつま先部に位置するアッパーつま先領域２ｅとアッパー上面領域２ａとの境界部に第一反射材１ａを設けている。第一反射材１ａは、アッパー上面領域２ａとアッパーつま先領域２ｅの接合部を隠す役割もある為、デザイン性にも優れている。この第一反射材１ａは、左側面領域から右側面領域に亘って設けられており、履き口周囲部２ｄの全周に亘って設けられた第四反射材１ｄが衣服のズボンなどで隠れてしまった場合でも、自動車などの照射による反射視認性が常に保たれる構造になっている。その為、歩行者の安全をより確実に確保する事が出来る。また、この第一反射材１ａは、反射効果のみならず、意匠性にも優れており、商品価値を高める効果もある。
【符号の説明】
【００２２】１ａ  第一反射材
１ｂ  第二反射材
１ｃ  第三反射材
１ｄ  第四反射材
２    アッパー
２ａ  アッパー上面領域
２ｂ  アッパー踵領域
２ｃ  アッパー側面領域
２ｄ  履き口周囲部
２ｅ  アッパーつま先領域
３    ソール
４    ミシン目
【図１】
0003226702.tif 000003
【図２】
0003226702.tif 000004
【図３】
0003226702.tif 000005
【図４】
0003226702.tif 000006